(57)【要約】【課題】  光の利用効率を高めることで、省電力化と薄型化が実現できる導光板、当該導光板を用いた配線モジュールおよび当該導光板または当該配線モジュールを用いた電子機器を提供する。【解決手段】  略平板状で、光源から出射される照明光を側面の一部から導入し、主面に形成された光出射部から外部へ取り出す、電子機器のバックライト用導光板であって、前記側面における前記照明光の受光面が、前記主面と垂直な面に対し傾斜している。そのため、照明光は屈折して導光板内に入射し、導光板内を全反射しながら伝搬していくため、光出射部から効率的に光を取り出すことができる【選択図】  図３
2010113977.tif 000002
【特許請求の範囲】
【請求項１】
略平板状で、光源から出射される照明光を側面の一部から導入し、主面に形成された光出射部から外部へ取り出す、電子機器のバックライト用導光板であって、
前記側面における前記照明光の受光面が、前記主面と垂直な面に対し傾斜していることを特徴とする導光板。
【請求項２】
請求項１に記載の導光板であって、
前記受光面の傾斜角は、前記主面と垂直な面に対して３０度〜６０度の範囲にあることを特徴とする導光板。
【請求項３】
請求項１または請求項２に記載の導光板であって、
前記側面は、傾斜した前記受光面を複数有することを特徴とする導光板。
【請求項４】
請求項１〜請求項３のいずれか１項に記載の導光板であって、
前記受光面上に、さらに前記主面と略平行な方向の溝を有することを特徴とする導光板。
【請求項５】
請求項１〜請求項４のいずれか１項に記載の導光板であって、
前記受光面上に、反射防止コーティング（ＡＲコート）層が形成されていることを特徴とする導光板。
【請求項６】
請求項１〜請求項５のいずれか１項に記載の導光板であって、
前記光出射部は前記主面上に形成された突起あるいは窪みによる凹凸パターン、または光散乱剤を含む印刷パターンであり、
前記光源から離れるほどパターンの密度が大きくなるように、前記パターン間の距離を小さくするあるいは前記パターンの大きさを大きくするように形成されていることを特徴とする導光板。
【請求項７】
光源の配置部およびスイッチ部を有するフレキシブルプリント配線板と、
前記フレキシブルプリント配線板上に積層された光反射部材と、
前記光反射部材の上部に配置された、請求項１〜請求項６のいずれか１項に記載の導光板とを備える、配線モジュール。
【請求項８】
請求項１〜請求項６のいずれか１項に記載の導光板、または請求項７に記載の配線モジュールを備える電子機器。
【発明の詳細な説明】
【技術分野】
【０００１】
本発明は、導光板、配線モジュールおよび電子機器に関し、より具体的には、携帯電話等の電子機器に組み込まれ、入力キーや液晶表示画面等を照光するために用いられる導光板、当該導光板を用いた配線モジュールおよび当該導光板または当該配線モジュールを用いた電子機器に関するものである。
【背景技術】
【０００２】
携帯電話機をはじめとする電子機器において、入力キーや液晶表示画面を照光するために従来では入力キーの背面にＬＥＤ等の光源を複数配置していたが、最近ではバックライト光源として導光板が用いられつつある。ここで導光板とは、ＬＥＤ等の光源からの照明光を側面から入射し、導光板の主面から光を出射することで、入力キーや液晶表示画面を照光するものであり、ＬＥＤ等の光源の数を１〜２個程度まで減らすことができ、消費電力を低減できるとともに、薄型化を実現するものである。
【０００３】
そこで、さらに消費電力の低減化を進める上では、光利用効率を高める必要があり、そのために導光板表面に光出射構造を設けたものも提案されている（特許文献１）。また、導光板を薄型化しても光源からの照明光の導光板への結合効率（入射効率）を高めるため、導光板の側面にテーパ状に光源となるＬＥＤの大きさまで広げた受光部を有する導光板も提案されている（特許文献２）。
【特許文献１】特開平５−２１００１４号公報
【特許文献２】特開２００４−６９７５１号公報
【発明の開示】
【発明が解決しようとする課題】
【０００４】
携帯電話機等の電子機器では、さらに高機能化が図られており、消費電力が増大する傾向にあることから省電力化の要求がますます強まっており、さらに搭載すべき部品の数が増大する傾向にあることから搭載スペースが限られるため搭載部品の薄型化も要求されている。そのため、これらに搭載する導光板やこれを用いた配線モジュールにも同様に省電力化や薄型化が要求されている。
【０００５】
一般に、導光板に入射した光は導光板の上下の表面で全反射を繰り返しながら伝搬されていく。そこで、上記の特許文献１に開示された導光板では、この全反射条件を崩して伝搬された光を導光板の主面から取り出すべく光出射構造が導光板主面に設けられているが、それでも出射されず入力キーや液晶表示画面を照光しないまま導光板を透過してしまい無駄にする光が多く、光利用効率の観点からは十分とはいえない。
また、導光板の薄型化を進めると導光板の側面に設けられている受光面の面積が減少し、光源から出射した光を導光板に入射させ結合する際にロスが大きくなり、光の結合効率が落ちてしまう。そこで、上記の特許文献２に開示された導光板では、側面をテーパ状に広げることで光源からの光の導光板への結合効率を高めようとしているが、同様に光出射構造で出射されることなく無駄になる光が多く、結合効率が高まっても出射効率が低いという問題が依然としてある。
【０００６】
本発明は、光の利用効率を高めることで、省電力化と薄型化が実現できる導光板、当該導光板を用いた配線モジュールおよび当該導光板または当該配線モジュールを用いた電子機器を提供することを目的とする。
【課題を解決するための手段】
【０００７】
上記目的を達成するために、第１発明に係る導光板は、略平板状で、光源から出射される照明光を側面の一部から導入し、主面に形成された光出射部から外部へ取り出す、電子機器のバックライト用導光板であって、前記側面における前記照明光の受光面が、前記主面と垂直な面に対し傾斜しているものである。
【０００８】
光源から導光板に入射した照明光は、導光板の上下の表面で全反射しつつ導光板内を伝搬される。そして、当該導光板の主面に形成された突起や窪みによる凹凸構造等で構成される光出射部で全反射条件が崩され、当該箇所から照明光が出射し、入力キーや液晶表示画面を照光する。しかし、導光板の主面と略平行な方向に入射する照明光も多く存在し、全反射することもなく、そのままストレートに導光板内部を抜けてしまい、照光に使われることなく無駄になる照明光も多く存在している。
【０００９】
この発明によれば、受光面が、前記主面と垂直な面に対し傾斜しているため、光源から出射した照明光はここで屈折して導光板内に入射することになるため、入射した多くの照明光は導光板内部を全反射しながら伝搬していくことになる。そのため、導光板内をストレートに抜けてしまう照明光はほとんどなくなり、導光板の主面に光出射部が設けられていれば、効率よく照明光が出射され、入力キーや液晶表示画面を照光することができる。すなわち、これまで主面から出射されることなく無駄になっていた光を有効利用することで、光利用効率を高めることができるため、省電力化を実現することができる。また、導光板を薄くすることにより光源および導光板間での照明光の結合効率が低下した場合であっても、導光板内に入射した照明光の利用効率を高めることができるので、入力キーや液晶表示画面を照光する明るさを維持することができ、当該発明に係る導光板は薄型化する上でも適している。
【００１０】
また、第２発明に係る導光板は、第１発明において、前記受光面の傾斜角は、前記主面と垂直な面に対して３０度〜６０度の範囲にあるように形成されている。
【００１１】
傾斜角が３０度より小さければ導光板内で照明光が全反射せず、あるいはほとんど反射せず抜けてしまう照明光が多くなり、照光に使われない無駄な光が増えてしまう。一方、６０度より大きければ、傾斜した受光面での光の反射量が増大するため、結合効率が低下し、導光板内へ入射させることのできる照明光の絶対量が低減してしまうことになる。従って、傾斜角が３０度〜６０度であれば、導光板全体として光利用効率を高める点で好適である。
【００１２】
また、第３発明に係る導光板は、第１発明または第２発明において、前記側面は、傾斜した前記受光面を複数有している。
【００１３】
光源から出射される照明光は必ずしも平行ではなく、一定の発散角をもっている。この発明によれば、側面に複数の傾斜した受光面があるため、発散角を持った照明光が入射した場合でも、導光板内で導光方向にストレートに抜ける照明光を極力低減することができ、光の利用効率をさらに向上させる上で好適である。なお、複数ある受光面の傾斜角は必ずしも同一である必要はなく、それぞれ異なる角度を有していてもよく、光源から出射される照明光の発散角に合わせて最適な角度を選択することができる。
【００１４】
また、第４発明に係る導光板は、第１発明〜第３発明において、前記受光面上に、さらに前記主面と略平行な方向の溝を有している。
【００１５】
この発明によれば、導光板に入射する照明光の入射角をさらに細かく偏向することが可能となり、導光板内で導光方向にストレートに抜ける照明光をより一層低減することができるため、光の利用効率をさらに向上させることができる。
【００１６】
また、第５発明に係る導光板は、第１発明〜第５発明において、前記受光面上に、反射防止コーティング（ＡＲコート）層が形成されている。
【００１７】
この発明によれば、傾斜した受光面では光が反射しやすいため、ＡＲコートをすることにより光の結合効率を高めることができる。その結果、導光板内により多くの照明光を導入することができ、導光板全体として光利用効率を高めることができる。
【００１８】
また、第６発明に係る導光板は、第１発明〜第５発明において、前記光出射部は前記主面上に形成された突起あるいは窪みによる凹凸パターン、または光散乱剤を含む印刷パターンであり、前記光源から離れるほどパターンの密度が大きくなるように、前記パターン間の距離を小さくするあるいは前記パターンの大きさを大きくするように形成されている。
【００１９】
この発明によれば、光源から遠くなるほど光出射部を構成するパターンの密度が高められているため、導光板を平面的に見た場合、全体として入力キーや液晶表示画面を光の利用効率を高めつつムラなく均一に照明することができる。
【００２０】
また、第７発明に係る配線モジュールは、光源の配置部およびスイッチ部を有するフレキシブルプリント配線板と、前記フレキシブルプリント配線板上に積層された光反射部材と、前記光反射部材の上部に配置された前記導光板とを有している。
【００２１】
この発明によれば、光の利用効率を高め、省電力化と薄型化を実現できる電子機器のキースイッチを照光する配線モジュールを得ることができる。
【００２２】
また、第８発明に係る電子機器は、第１発明〜第６発明の導光板、または第７発明に記載の配線モジュールを備えている。
【００２３】
この発明によれば、省電力化および薄型化を図りながら確実な照明ができる、携帯電話、携帯情報端末等を得ることができる。
【発明の効果】
【００２４】
本発明によれば、光の利用効率を高めることで、省電力化と薄型化が実現できる導光板、当該導光板を用いた配線モジュールおよび当該導光板または当該配線モジュールを用いた電子機器を提供することができる。
【発明を実施するための最良の形態】
【００２５】
（実施の形態１）
図１は、本発明の実施の形態１における携帯電話機の構造を模式的に示す斜視図である。図１に示すように、携帯電話機１０は、伝達すべき情報を入力する入力部１３と、各種情報を表示するための表示部１２を備えており、ヒンジ部１４を介して回転可能に接続されており、開閉可能な構造（折りたたみ可能な構造）とされている。また、入力部１３にはヒンジ部１４と反対側の位置にマイク１７が、また、表示部１２にはヒンジ部１４と反対側の位置にスピーカー１６がそれぞれ設けられている。
【００２６】
入力部１３には、各種情報を入力するために、数字や文字等が印刷された入力キー２１が複数配置されており、入力モジュール２０を構成している。表示部１２には、各種情報を表示するために液晶表示装置１５が設けられている。
【００２７】
図２は、図１に示す携帯電話機の入力モジュールを模式的に示す拡大平面図である。また、図３は、図２に示すＩＩ−ＩＩ線における断面模式図である。
【００２８】
図２、図３に示すように、入力モジュール２０は、光源２２と、光源２２から出射される照明光を伝搬するとともに入力された情報を電気的に伝達する配線モジュール３１と、配線モジュール３１の上に配置されたラバーシート２８と、その上部に配置された、ラバーシート２８で支持されている入力キー２１とを備えている。
【００２９】
配線モジュール３１は、ドームスイッチ２５を有するフレキシブルプリント配線板２３と、その上部に積層された光反射部材２４と、その上部に配置され光源２２から出射される照明光を伝搬するとともに主面から照明光を出射する導光板２７とを備えており、導光板２７の主面２７ａから出射した照明光はラバーシート２８を透過して入力キー２１を照光している。
【００３０】
光源２２はフレキシブルプリント配線板２３上に電気的に接続するように配置されており、例えばＬＥＤ(発光ダイオード)が用いられ、他にもＬＤ（レーザーダイオード）や冷陰極管など照明光を発光するものが使用できる。
【００３１】
フレキシブルプリント配線板２３は、導体層と絶縁層（図示せず）とからなる可撓性を有する電気回路が形成された配線板であって、入力キー２１が押されれば、フレキシブルプリント配線板２３上に設けられたドームスイッチ２５により発生した信号を電気的に伝達する。また、光源２２に対して電力の供給も行っている。
【００３２】
光反射部材２４は、導光板２７から下面側（フレキシブルプリント配線板２３側）に漏れ出た光を上面側（入力キー２１側）に反射し、入力キー２１の照光に再利用することで光の利用効率を向上させている。また、光源２２から導光板２７に入射せず下部側に漏れた光も同様に上部側に反射させることで光の利用効率をさらに向上させている。この光反射部材２４は、例えばフレキシブルプリント配線板の上部に白色のインクを印刷することにより形成され、当該インクに光散乱剤等が含まれていればさらに反射率を向上させることができる。また、光反射部材２４は別途、シート状で形成しておき、フレキシブルプリント配線板２３の上に載置してもよい。
【００３３】
ラバーシート２８は入力キー２１を支持するとともに入力キーの押し圧をドームスイッチ２５に伝達するために弾性体で形成されており、例えばゴム等から形成されている。さらにラバーシート２８の下部側には突起状の押し子２９が設けられており、入力キー２１の押し圧をドームスイッチ２５に確実に伝達するとともに、クリック感を向上させている。
【００３４】
ドームスイッチ２５を構成する半円状のドームは、例えばステンレスをプレス加工して形成されており、スイッチを押した時のクリック感を出す上で好適な構造である。また当該ドームは導電性があるものであればよく、銅や銅合金などの金属を用いることができる。また、当該ドームの厚みは例えば０．０１ｍｍ〜０．１ｍｍであり、ドームスイッチ２５の高さは例えば０．１５ｍｍ〜０．５ｍｍである。
【００３５】
導光板２７の光源２２側の側面には受光面３０が設けられており、光源２２から出射された照明光は受光面３０から導光板２７内に入射され、全反射を繰り返しながら導光板１７内を伝搬する。
【００３６】
また、導光板２７の下面側（フレキシブルプリント配線２３側）の主面２７ｂの入力キー２１に対応する位置に光出射部２６が設けられている。光出射部２６は、導光板２７の主面２７ｂ上に設けた凹凸パターンである。導光板２７は、射出成形や金型を用いた型押し等の常法で作製することができ、凹凸を有する光出射部２６は、導光板２７と同時に形成されてもよく、あるいは導光板２７を事前に作製し、その後さらに型押しやレザー加工、サンドプラスト等により形成することもできる。また、光出射部２６は光散乱剤を含有したインクを用いた印刷や導光板２７の材質とは異なる屈折率を有するインクを用いた印刷により形成されていてもよい。これは例えばスクリーン印刷やインクジェット印刷等の常法で作製することができる。なお、光出射構造２６は導光板２７の主面２７ａおよび２７ｂにいずれに形成されていてもよい。
【００３７】
受光面３０より入射した照明光は全反射しながら導光板２７内を伝搬するが、光出射部２６により全反射条件が崩され、導光板２７の上面側（入力キー２１側）の主面から出射することで入力キー２１が照光されることになる。一方、上述した通り、光反射部２６で全反射条件が崩され、導光板２７の下面側に出射した照明光は光反射部材２４により上面側に戻され、入力キー２１を照光するのに再度利用されることになる。
【００３８】
また、導光板２７は、透光性のある材料、例えばポリカーボネート樹脂、ポリエチレンフタレート樹脂、アクリル系樹脂、ウレタン樹脂、シクロオレフィン系樹脂、シリコン樹脂などによって形成されている。また、導光板１７の厚みは例えば１２５μｍ〜２００μｍであり、携帯電話機の薄型化の観点からは５０μｍ〜１００μｍであればより好ましい。
【００３９】
図４（ａ）〜（ｉ）は図３における導光板の受光面近傍のＡ部の拡大断面図である。図４（ａ）に示すように、導光板２７の受光面３０は導光板２７の主面２７ａ、２７ｂと垂直な面に対し傾斜角θを有している。
【００４０】
同図に示す通り、光源２２から出射された照明光のうち、導光板の主面と略平行な照明光は受光面が傾斜しているため導光板２７内に入射する際に一旦屈折させられることになる。これにより、受光面３０が傾斜していなければそのままストレートに導光板２７内に入射し全反射することなく導光板をすり抜けていた照明光が、受光面３０が傾斜することで必ず角度をもって導光板２７内に入射されるので全反射を繰り返しながら伝搬されることになる。このように全反射を繰り返しながら照明光が伝搬されれば、一定の確率で光出射部２６にて全反射条件が崩され、導光板２７の主面から上面側に出射され、入力キー２１を照光することになる。
【００４１】
一般に光源として用いられるＬＥＤ等は所定の発散角をもって光が出射されるが、圧倒的に導光板の主面と平行な光成分が多いところ、このように受光面３０が傾斜角θを有していれば、この平行な光成分がストレートに導光板２７内をすり抜け無駄にすることなく、入力キー２１を照光する光として利用できることになる。従って、受光面３０を傾斜させることで、光の利用効率を高めることができるため、省電力化を実現することができる。また、導光板を薄くすることにより受光面３０の面積が狭くなり、光源２２と導光板２７との間で光の結合効率が低下した場合でも、導光板２７内に入射した照明光の利用効率は高まるので、入力キー２１を照光する明るさを維持することができ、薄型化により低下する照光度をカバーすることもできる。
【００４２】
図５は受光面の傾斜角度と導光板主面に形成した光出射部への入射光線量の関係を示すグラフである。なお、縦軸の入射光線量は相対値である。
【００４３】
ここで、解析条件について説明する。導光板は屈折率１．５９のポリカーボネート樹脂で形成されているものとし、厚みは１２５μｍである。また、光出射部は、屈折率１．４８のポリメタクリル酸メチル樹脂で形成されているものとし、直径２２０μｍ、高さ１３μｍの半円状のパターンを導光板１７の主面上に３．５ｍｍピッチで設けたものとした。また、光源２２から出射される照明光は、波長４６５ｎｍ、半値角１０５度と設定して解析を行った。
【００４４】
同図に示すグラフによれば、受光面３０の傾斜角θが大きくなるほど光出射部２６に入射する光線量が増加することが分かる。これは受光面３０が傾斜するほど導光板２７内において主面２２と平行な光線量が減少し、全反射を繰り返しながら伝搬する光線量が増加することになるため、高い確率で光出射部２６に入射することを意味している。すなわち、受光面３０が傾斜するほど入力キー２１の照光に使われる光線量が多くなり、光利用効率を高められることを意味する。
【００４５】
ここで、受光面３０の傾斜角θは、３０度〜６０度が適している。傾斜角θが３０度より小さければ導光板２７内で照明光が全反射せず、あるいはほとんど反射せず抜けてしまう照明光が多くなり、照光に使われない無駄な光が増えてしまう。一方、傾斜角θが６０度より大きければ、傾斜した受光面３０での光の反射量が増大するため、結合効率が低下し、導光板２７内へ入射させることのできる照明光の絶対量が低減してしまうことになる。従って、傾斜角θが３０度〜６０度であれば、導光板全体として光利用効率を高める点で好適である。また、傾斜角θは４５度〜６０度であればより好ましい。
【００４６】
なお、受光面３０は傾斜角θを有しているが、導光板２７を形成する際、例えば射出成形や金型を用いた型押しで導光板２７の形成と同時に成形しながら受光面３０を形成することができる。また、導光板２７を作製後、再度金型を用いて型押し、あるいは機械加工等により傾斜角θを有する受光面３０を形成することもできる。
【００４７】
（変形例１）
図４（ｂ）は図４（ａ）に示す受光面３０の変形例である。同図によれば、受光面３０は傾斜した上下二面の受光面３０ａ、３０ｂから構成されており、光源２２に向かって突き出るように厚みが薄くなるように形成されている。ここで、主面２２と垂直な面に対する受光面３０の上面２０ａと下面２０ｂの傾斜角をそれぞれθ１、θ２としている。本変形例においても、傾斜角θ１とθ２は３０度〜６０度であれば、導光板全体として光利用効率を高める点で好適である。また、傾斜角θ１、θ２は４５度〜６０度がより好ましい。また、傾斜角θ１とθ２は必ずしも同一の角度を有している必要はなく、それぞれ別の角度であってもよい。
【００４８】
光源２２から出射される照明光は一定の発散角を有しているため、受光面２２を複数の傾斜角を有するものとすることにより、発散角を持った照明光が入射した場合でも、導光板２７をストレートに抜ける照明光を極力低減することができ、光の利用効率をさらに向上させる上で好適である。
【００４９】
（変形例２）
図４（ｃ）と（ｄ）は図４（ａ）と（ｂ）の受光面２２をさらに複数の傾斜した受光面を有するものにしたものである。また、図４（ｅ）〜（ｈ）は図４（ａ）〜（ｄ）の受光面２２に主面２７ａ，２７ｂと略平行な方向の溝を有するものであって断面が三角形状となるものであり、図４（ｉ）は図４（ａ）の受光面３０に主面２７ａ，２７ｂと略平行な方向の溝を有するものであって、断面が矩形形状となるものである。
【００５０】
この変形例２によれば、導光板２７に入射する照明光の入射角をさらに細かく偏向することが可能となり、導光板２７内でストレートに抜ける照明光をより一層低減することができるため、光の利用効率をさらに向上させることができる。
【００５１】
また、ここでは、導光板の厚みが一定である場合について説明したが、光源の大きさより導光板が薄い場合、受光面近傍の厚みを光源の大きさ程度まで厚くした上で、上述した傾斜角を有する受光面を設けることもできる。これによれば、光源と導光板間での結合効率を低下させることなく、さらに光出射効率も向上させることが可能となり、全体として光利用効率が向上するので省電力化が図れるとともに、導光板の薄型化を図ることができる。
【００５２】
（変形例３）
図６は、実施の形態の変形例３に係る導光板の主面上に形成された光出射部のパターンを示す平面図である。
【００５３】
同図に示すように、光出射部２６は光源２２から遠くなるほど光出射部２６を構成するパターンの間隔を小さくすることで密度を大きくしている。これにより、光源２２から離れても光出射部２６から出射する照光量が少なくなることがなく、導光板２７全体として均一に入力キー２１を均一に照光することができる。すなわち、光利用効率を高め省電力化を図りながらも確実な照光をすることができる。
【００５４】
（変形例４）
図７は、実施の形態の変形例４に係る導光板の主面上に形成された光出射部のパターンを示す平面図である。
【００５５】
同図に示すように、光出射部２６は光源２２から遠くなるほど光出射部２６を構成するパターンの大きさを大きくすることで密度を大きくしている。これにより、光源２２から離れても光出射部２６から出射する照光量が少なくなることがなく、導光板２７全体として均一に入力キー２１を均一に照光することができる。すなわち、光利用効率を高め省電力化を図りながらも確実な照光をすることができる。
【００５６】
（変形例５）
図８は、実施の形態１の変形例５に係る導光板の主面上に形成された光出射部のパターンを示す平面図である。
【００５７】
同図に示すように、光出射部２６は入力キー２１に対応する位置に設けられており、かつ、光源２２から遠くなるほど光出射部２６を構成するパターンの数を多くすることで密度を大きくしている。これにより、本来照光したい入力キー２１のみを光らすことができるとともに、光源２２から離れても導光板１７全体として均一に入力キー２１を均一に照光することができる。また、入力キー２１以外の所では光を出射しないため、光利用効率を高め、省電力化を図る上でも適している。
【００５８】
ここでは入力キー２１に対応する位置においてパターンの数を増やすこと（パターンの間隔を小さくすること）で均一に入力キー２１を照光することについて説明したが、変形例３や４に係る導光板においても、図示はしないが、入力キー２１に対応した位置にのみ光出射部２６を形成することで、同様に効果を得ることができる。
【００５９】
なお、ここでいうパターンとは、形状は特に限定されず、円形、矩形、文字・記号の形等いずれの形状であってもよい。また、当該パターンは、主面２２に設けられた突起を有する凸型形状だけでなく、窪みを有する凹型形状でもよい。さらに、当該パターンは光散乱剤を含有したインクを印刷により形成されていてもよく、光源２２から離れるほど光散乱剤の反射率を高くする、光散乱剤の含有量を多くする、あるいはインクの屈折率を変化させることにより、入力キー２１を均一に照光することもできる。
【００６０】
ここでは、本発明に係る導光板を用いて携帯電話機の入力キーを照光する場合について説明したが、例えば、キーパッドを有するＰＤＡ（Ｐｅｒｓｏｎａｌ  Ｄｉｇｉｔａｌ  Ａｓｓｉｓｔａｎｔｓ；個人用携帯端末）などの電子機器にも同様に用いることもできる。また、本発明に係る導光板は、液晶表示装置のバックライトとしても同様に用いることができる。また、配線モジュールを構成し、電気信号等の伝達回路基板としてフレキシブルプリント配線板を用いて説明したが、リジッドタイプのプリント配線板であってもよい。
【００６１】
上記開示された本発明の実施の形態の構造は、あくまで例示であって、本発明の範囲はこれらの記載の範囲に限定されるものではない。本発明の範囲は、特許請求の範囲の記載によって示され、さらに特許請求の範囲の記載と均等の意味及び範囲内でのすべての変更を含むものである。
【産業上の利用可能性】
【００６２】
本発明の導光板、配線モジュールは、携帯電話機等の電子機器に組み込まれ、キースイッチや液晶画面等を照光するために用いられる。
【図面の簡単な説明】
【００６３】
【図１】発明の実施の形態１における携帯電話機の構造を模式的に示す斜視図である。
【図２】図１に示す携帯電話機の入力モジュールを模式的に示す拡大平面図である。
【図３】図２に示すＩＩ−ＩＩ線における断面模式図である。
【図４】（ａ）は図３における導光板の受光面近傍のＡ部の拡大断面図であり、図４（ｂ）〜（ｆ）は図４（ａ）の変形例である。
【図５】受光面の傾斜角度と導光板主面に形成した光出射部への入射光線量の関係を示すグラフである。
【図６】実施の形態の変形例３に係る導光板の主面上に形成された光出射部のパターンを示す平面図である。
【図７】実施の形態の変形例４に係る導光板の主面上に形成された光出射部のパターンを示す平面図である。
【図８】実施の形態の変形例５に係る導光板の主面上に形成された光出射部のパターンを示す平面図である
【符号の説明】
【００６４】
１０      携帯電話機
１２      表示部
１３      入力部
１４      ヒンジ部
１５      液晶表示装置
１６      スピーカー
１７      マイク
２０      入力モジュール
２１      入力キー
２２      光源
２３      フレキシブルプリント配線板
２４      光反射部材
２５      ドームスイッチ
２６      光出射部
２７      導光板
２７ａ    主面
２７ｂ    主面
２８      ラバーシート
２９      押し子
３０      受光面
３１      配線モジュール
【図１】
2010113977.tif 000003
【図２】
2010113977.tif 000004
【図３】
2010113977.tif 000005
【図４】
2010113977.tif 000006
【図５】
2010113977.tif 000007
【図６】
2010113977.tif 000008
【図７】
2010113977.tif 000009
【図８】
2010113977.tif 000010